(57)【特許請求の範囲】
【請求項１】
室内機の筐体の外板において空気吸込み側に形成される開口部に沿って前記外板に取り付けられ、前記開口部に設置されるフィルタを支持する室内機用フィルタ支持具であって、
前記フィルタを間に挟んで支持する、前記筐体の前記外板に沿って設置される第１板部及び前記第１板部に対向して設置される第２板部と、
前記外板に対し交わる方向に設置される第３板部と、を有し、
前記第１板部には、前記外板と前記第１板部とを外部から内部に向けて貫通する第１ねじが貫通する第１ねじ穴が形成され、
前記第３板部には、前記外板に対して交わる方向に設けられたフランジ部と前記第３板部とを結合する第２ねじが貫通する第２ねじ穴が形成されている室内機用フィルタ支持具。
【請求項２】
前記第２板部は、前記第１ねじの結合位置に対応して切欠き部が形成されている請求項１に記載の室内機用フィルタ支持具。
【請求項３】
請求項１又は２に記載の室内機用フィルタ支持具を備える室内機。
【請求項４】
請求項３に記載の室内機と、
前記室内機と冷媒管によって接続される室外機と、
を備える空気調和装置。
【発明の詳細な説明】
【技術分野】
【０００１】
本発明は、空気吸込み側の開口部にフィルタを設置するための室内機用フィルタ支持具、室内機及び空気調和装置に関するものである。
【背景技術】
【０００２】
パッケージエアコンの室内機には、筐体の空気吹出し側の開口において、吹出し用ダクトの一端が接続されるものがあり、吹出し用ダクトの他端側には、天井等に設置される吹出口が設けられる。このダクト接続型の室内機では、図６から図８に示すように、吹出し空気が、開口３２ａに接続された吹出し用ダクト３３を介して、筐体３２内部から吹出口３４へ送られ、室内へ吹き出される。一方、筐体３２の空気吸込み側の開口３２ｂにおいては、図６及び図７に示すように、筐体３２に吸込み用ダクト３５が接続される場合と、図８に示すように、吸込み用ダクトが接続されない場合がある。
【０００３】
図６及び図７に示すように、筐体３２に吸込み用ダクト３５の一端が接続される場合、吸込み用ダクト３５の他端側に吸込口３６が接続され、吸込口３６から吸い込まれた室内の空気が、吸込み用ダクト３５を介して、筐体３２内部に送られる。これに対し、図８に示すように、吸込み用ダクトが接続されない場合、筐体３２は、例えばガラリ３７を通過した室内の空気を直接吸い込むが、筐体３２の空気吸込み側の開口３２ｂには、フィルタが設置される。
【０００４】
下記の特許文献１には、天吊埋込形空気調和装置において、空気吸込みダクト取付け用フランジの機能とエアフィルタレールの機能とを具備したものが、互いに重ねられたエアフィルタレール内板とエアフィルタレール外板から構成されることが記載されている。フィルタのフランジ部が、エアフィルタレール外板の折曲部とエアフィルタレール内板の折曲部との間に形成された空隙部に摺動可能に挿入されることによって、フィルタが保持される。
【先行技術文献】
【特許文献】
【０００５】
【特許文献１】実開昭６２−１９５２５号公報
【発明の概要】
【発明が解決しようとする課題】
【０００６】
上述のダクト接続型の室内機３１において、設置場所にて吸込み側に吸込み用ダクト３５が接続されることを出荷時の標準とする製品では、吸込み側の開口３２ｂには、図１０に示すようなフィルタ４１を支持するためのフィルタレール４２が設けられないことがある。図１１には、開口３２ｂにおいて、フィルタレール４２が設けられないで、吸込み用ダクト３５がダクト接続用フランジ４３と接続される状態を示している。
【０００７】
この製品を用いて、図１０に示すように、設置場所にて吸込み用ダクトを接続しないでフィルタ４１を開口３２ｂに設けようとする場合、フィルタレール４２は、図１１に示す状態の筐体３２に対して後付けされる。この場合、フィルタレール４２は、ダクト接続用フランジ４３に取り付けられる。ダクト接続用フランジ４３は、一般に、板状部材であって、筐体３２の背面板４４に対して鉛直に、かつ、筐体３２から外側方向に水平面に平行に突出している。なお、フィルタ４１は、フィルタレール４２の溝部分に設けられた緩衝材４５を介してフィルタレール４２に支持される。
【０００８】
フィルタレール４２は、フィルタレール４２の底板４２ａがねじ５１によってダクト接続用フランジ４３に結合される。フィルタ４１が設置可能なように、ねじ５１は、フィルタレール４２側からダクト接続用フランジ４３側に貫通して設けられるため（図９及び図１０参照）、ねじ５１の先端は、筐体３２の外面側方向へ突出することになる。そのため、フィルタレール４２を工場で取り付けて出荷しようとするとき、運搬時などに作業者がねじ５１によってけがをしないように、ねじ５１の先端をカバーするなど別途措置を施す必要がある。特に、設置場所にて吸込み用ダクトを接続しないでフィルタ４１を開口３２ｂに設けることを出荷時の標準とする製品の場合に不都合が生じやすい。
【０００９】
また、フィルタレール４２は、フィルタ４１の上下端を挟んで支持するため、筐体３２の上側と下側に平行に設けられる。しかし、ねじ５１の締め方向がダクト接続用フランジ４３の対向面側から外面側に向いているため、フィルタ４１の高さによっては、ねじ５１を締めるための工具が入らない、または、ねじ締め作業がしにくいという問題がある。
【００１０】
本発明は、このような事情に鑑みてなされたものであって、フィルタを支持する室内機用フィルタ支持具において、筐体と固定するためのねじ締め作業を容易にし、筐体の安全性確保のための手間を軽減させることが可能な室内機用フィルタ支持具、室内機及び空気調和装置を提供することを目的とする。
【課題を解決するための手段】
【００１１】
上記課題を解決するために、本発明の室内機用フィルタ支持具、室内機及び空気調和装置は以下の手段を採用する。
すなわち、本発明に係る室内機用フィルタ支持具の筐体の外板において空気吸込み側に形成される開口部に沿って前記外板に取り付けられ、前記開口部に設置されるフィルタを支持する室内機用フィルタ支持具であって、前記フィルタを間に挟んで支持する、前記筐体の前記外板に沿って設置される第１板部及び前記第１板部に対向して設置される第２板部と、前記外板に対し交わる方向に設置される第３板部と、を有し、前記第１板部には、前記外板と前記第１板部とを外部から内部に向けて貫通する第１ねじが貫通する第１ねじ穴が形成され、前記第３板部には、前記外板に対して交わる方向に設けられたフランジ部と前記第３板部とを結合する第２ねじが貫通する第２ねじ穴が形成されている。
【００１２】
この構成によれば、筐体の外板には、フィルタを支持する室内機用フィルタ支持具が、空気吸込み側の開口部に沿って取り付けられ、室内機用フィルタ支持具にフィルタが取り付けられると、開口部にフィルタが設置されることになる。フィルタは、開口部を通過する空気に含まれる塵埃を除去する。室内機用フィルタ支持具は、第１板部と第２板部を有し、第１板部と第２板部は、筐体の外板に沿って、例えば外板に対してほぼ平行に設置され、フィルタを間に挟んで支持する。第１板部は、第１ねじによって外板と結合される。第１ねじは、外板と第１板部とを外部から内部に向けて貫通することから、第１ねじの先端は、筐体の外板よりも内部に位置する。したがって、室内機用フィルタ支持具を取り付けた結果、ねじの先端が筐体の外側に位置する場合に比べて、安全性が向上する。
また、この構成によれば、第３板部は、筐体の外板に対して交わる方向、例えば垂直に設置されることから、室内機用フィルタ支持具をダクトの接続に用いることができる。
さらに、この構成によれば、筐体が、外板に対して垂直に設けられるフランジ部を有さない場合には、室内機用フィルタ支持具は、第１板部に形成された第１ねじ穴を貫通する第１ねじによって、外板と結合される。また、筐体が、外板に対して垂直に設けられるフランジ部を有する場合には、室内機用フィルタ支持具は、第３板部に形成された第２ねじ穴を貫通する第２ねじによって、フランジ部と結合される。したがって、室内機用フィルタ支持具は、フランジ部を有さない筐体の室内機と、フランジ部を有する筐体の室内機のいずれにも設置できる。
【００１３】
上記発明において、前記第２板部は、前記第１ねじの結合位置に対応して切欠き部が形成されている。
【００１４】
この構成によれば、外板と第１板部とを外部から内部に向けて、第１ねじを貫通させる際、第２板部が第１ねじや工具に干渉しないため、ねじ締め作業が容易になる。
【００１９】
本発明に係る室内機は、上述の室内機用フィルタ支持具を備える。
【００２０】
本発明に係る空気調和装置は、上述の室内機と、前記室内機と冷媒管によって接続される室外機とを備える。
【発明の効果】
【００２１】
本発明によれば、フィルタを支持する室内機用フィルタ支持具において、筐体と固定するためのねじ締め作業を容易にし、筐体の安全性確保のための手間を軽減させることができる。
【図面の簡単な説明】
【００２２】
【図１】本発明の一実施形態に係る室内機を示す斜視図である。
【図２】本発明の一実施形態に係る室内機を示す部分拡大斜視図である。
【図３】本発明の一実施形態に係る室内機の空気吸込み側を示す縦断面図であり、フィルタレール取付け前の状態を示す。
【図４】本発明の一実施形態に係る室内機の空気吸込み側を示す縦断面図であり、フィルタレール取付け後の状態を示す。
【図５】従来の室内機の空気吸込み側を示す縦断面図であり、本実施形態に係るフィルタレール取付け後の状態を示す。
【図６】空気調和装置の室内機の設置状態を示す縦断面図である。
【図７】空気調和装置の室内機の設置状態を示す縦断面図である。
【図８】空気調和装置の室内機の設置状態を示す縦断面図である。
【図９】従来の室内機を示す部分拡大斜視図である。
【図１０】従来の室内機の空気吸込み側を示す縦断面図であり、フィルタレール取付け後の状態を示す。
【図１１】従来の室内機の空気吸込み側を示す縦断面図であり、吸込み用ダクト取付け後の状態を示す。
【発明を実施するための形態】
【００２３】
以下に、本発明の一実施形態に係る空気調和装置について、図面を参照して説明する。
室内機１は、空気調和装置、例えばパッケージエアコンのダクト接続型の室内機であり、筐体２の空気吹出し側の開口において、吹出し用ダクトの一端が接続される。室内機１は、建屋の階上の床の下面又は梁の下面から、複数本の吊りボルトを介して吊り下げられる。室内機１は、室内に天井板が貼られる場合は、天井内に筐体２全体が収容される。吹出し用ダクトの他端側には、天井等に設置される吹出口が設けられる。なお、室内機１と冷媒管及び電気配線を介して接続され、屋外に設置される室外機については、図示及び詳細な説明を省略する。
【００２４】
室内機１は、室内から吸い込んだ空気を、熱交換器において、冷媒と熱交換させて冷却又は加熱する。その後、熱交換された空気は、室内に吹き出される。
【００２５】
室内機１は、図１に示すように、例えば直方体形状の筐体２を有する。
筐体２は、空気の吹出し側の正面板（図示せず。）と、空気の吸込み側の背面板３と、両端部で正面板及び背面板３に接続される２枚の側面板４と、正面板、背面板３及び側面板４の上端に接続される上面板５と、正面板、背面板３及び側面板４の下端に接続される底面板６とを有する。
【００２６】
筐体２の内部には、冷媒と室内空気とを熱交換する熱交換器（図示せず。）と、図１に示すように、室内空気を循環する複数組のシロッコファン７と、シロッコファン７を駆動するファンモータ８と、熱交換器で発生したドレン水を受けるドレンパン（図示せず。）と、ドレンパン内に溜まったドレン水を外部に排出するドレンポンプ（図示せず。）等が組み込まれている。また、筐体２の外部には、例えば側面板４に室内機１の運転を制御するコントロールボックス９が設けられる。
【００２７】
また、筐体２には、空気の吹出し側の正面板に吹出し用開口（図示せず。）が形成されている。吹出し用開口には、吹出し用ダクト（図示せず。）の一端が接続される。吹出し用ダクトの他端側には、天井等に設置される吹出口が設けられる。
【００２８】
さらに、筐体２には、空気の吸込み側の背面板３に開口１０が形成されている。開口１０には、吸込み用ダクト３５が接続される場合と、吸込み用ダクト３５が接続されない場合がある。図４では、便宜上、吸込み用ダクト３５とフィルタ４１の両者が二点鎖線で図示されているが、実際は、いずれか一方のみが設置される。
【００２９】
筐体２に吸込み用ダクト３５の一端が接続される場合、吸込み用ダクト３５の他端側に吸込口が接続され、吸込口から吸い込まれた室内の空気が、吸込み用ダクト３５を介して、筐体２内部に送られる。これに対し、吸込み用ダクト３５が接続されない場合、筐体２は、ガラリ等を通過した空気を直接吸い込むが、筐体２の開口１０には、フィルタ４１が設置される。フィルタ４１は、開口１０とほぼ同じ面積であり、開口１０を通過する空気に含まれる塵埃を除去する。フィルタ４１の厚さは、例えば、5mmである。
【００３０】
開口１０は、筐体２の背面板３に例えば矩形状に形成され、背面板３には開口１０に沿ってフィルタレール１１が取り付けられる。フィルタレール１１は、開口１０を間に挟んで、背面板３の上側と下側にそれぞれ平行に設けられる。これにより、フィルタ４１は、図４に示すように、フィルタレール１１によって、上下端が挟まれた状態で支持される。
【００３１】
フィルタレール１１は、断面がコ字形状であって、一方向に長い長尺部材である。フィルタレール１１は、底板１２と、互いに対向する二つの側板１３（第１側板１３Ａ及び第２側板１３Ｂ）などから構成される。側板１３は、底板１２の両端部において、それぞれ底板１２と接続され、互いに対向している。
【００３２】
第１側板１３Ａは、フィルタレール１１が筐体２の背面板３に設置されるとき、ねじ１４によって背面板３に固定される。第１側板１３Ａには、ねじ穴１３ａが形成される。また、背面板３には、第１側板１３Ａのねじ穴１３ａに対応する位置に、フィルタレール１１を取り付けるためのねじ穴３ａが形成される。ねじ穴３ａは、背面板３の板面に対して交わる方向、例えば垂直方向に形成される。
【００３３】
第２側板１３Ｂは、第１側板１３Ａに対し平行であり、図２に示すように、第１側板１３Ａに形成されたねじ穴１３ａに対応する位置に切り欠き１３ｂが形成される。これにより、ねじ穴３ａとねじ穴１３ａにねじ１４を通し、工具によってねじ１４を締めることができる。また、ねじ締め作業において、工具が入らない、又は、作業がしにくいという不都合も生じない。
【００３４】
第１側板１３Ａにねじ穴１３ａが形成されていることによって、室内機１の筐体２において、フィルタレール１１が取り付けられる背面板３には、従来のような、ダクト接続用フランジ４３（図９から図１１参照）が設けられなくてもよい。したがって、背面板３の断面は、図２及び図３に示すように、開口１０の縁近傍において、Ｌ字形状とならず、外側に突出した部分のない平板形状である。そして、ねじ１４の締め方向が筐体２の外面側から筐体２の内部に向いているため、ねじ１４の先端は、筐体２の外面方向へ突出しない。したがって、運搬時などに作業者がねじ１４によってけがをしないように別途措置を施す必要がなくなり、安全性確保のための手間を軽減させることができる。特に、吸込み用ダクト３５を接続しないで、現地にて開口１０にフィルタ４１を設けることを出荷時の標準とする製品の場合に、工場でフィルタレール１１が取り付けられたとしても安全性が確保されるため、より高い効果が得られる。
【００３５】
フィルタレール１１が筐体２の背面板３に設置されたとき、フィルタレール１１の底板１２は、筐体２の背面板３に対して鉛直に、かつ、水平面に対し平行である。したがって、フィルタレール１１の底板１２は、従来のダクト接続用フランジ４３と同様に、図４に示すように、吸込み用ダクト３５の接続に用いることができる。よって、本実施形態に係るフィルタレール１１が取り付けられた室内機１は、筐体２に吸込み用ダクト３５が接続される場合と、吸込み用ダクト３５が接続されない場合の両方に対応できるようになる。
【００３６】
なお、フィルタレール１１の底板１２には、図５に示すように、第１側板１３Ａのねじ穴１３ａとは別に、ねじ穴１２ａが形成されてもよい。これにより、図５に示すように、従来のダクト接続用フランジ４３に本実施形態に係るフィルタレール１１を取り付けることができる。ダクト接続用フランジ４３には、ねじ穴１２ａに対応する位置にねじ穴４３ａが形成される。したがって、ダクト接続用フランジ４３が筐体３２の背面板４４に取り付けられた従来の室内機３１のために、別途フィルタレールを用意する必要がなく、部品の共用化を図ることができる。
【００３７】
また、ダクト接続用フランジ４３が形成された従来の背面板４４と、ダクト接続用フランジが形成されない本実施形態に係る背面板３との違いは、ダクト接続用フランジのための折り曲げ部分があるか否かである。そのため、室内機１，３１の製造工程において、筐体２，３２の背面板３，４４を変更するだけで、また、背面板３，４４の空気吸込み側の開口１０，３２ｂの形状や折り曲げ加工の要否を変更するだけで、両方の室内機１，３１を製造できる。したがって、注文の増加又は減少等による室内機１，３１の製造台数の変更に柔軟に対処できる。
【００３８】
フィルタレール１１内部には、材質が発泡ラバーなどである緩衝材１５が設けられる。フィルタ４１は、緩衝材１５を介してフィルタレール１１に支持される。これにより、筐体２からフィルタ４１に伝達する振動を低減できる。
【００３９】
筐体２の上側に設置されるフィルタレール１１の最下端と下側に設置されるフィルタレール１１の最上端との距離は、フィルタ４１の高さよりも少し短い。フィルタ４１をフィルタレール１１に設置する場合は、フィルタ４１を高さ方向に屈折させて、断面をくの字形状にし、両フィルタレール１１間の間隔よりも高さを低くした状態で、両フィルタレール１１間にフィルタ４１を挿入する。そして、くの字形状に屈折されたフィルタ４１を真っ直ぐな形状に解放して、フィルタ４１の上下端それぞれをフィルタレール１１の溝部分に嵌める。
【００４０】
次に、フィルタレール１１の筐体２への取付方法、フィルタ４１又は吸込み用ダクト３５の設置方法について説明する。
【００４１】
まず、図３の状態のダクト接続用フランジが形成されない本実施形態に係る背面板３に対し、フィルタレール１１を取り付ける場合について説明する。この場合、平板状の背面板３に形成されたねじ穴３ａと、フィルタレール１１の第１側板１３Ａに形成されたねじ穴１３ａを一致させる。そして、両方のねじ穴３ａ，１３ａに対し、ねじ１４を挿入して、ねじ１４を締める。これにより、背面板３に対し、フィルタレール１１が取り付けられる。この作業を背面板３の上側のフィルタレール１１と下側のフィルタレール１１の両方に行う。
【００４２】
その後、フィルタ４１を取り付ける場合は、両フィルタレール１１間にフィルタ４１を屈折させながら挿入して、フィルタ４１の上下端を溝部分に嵌める。一方、吸込み用ダクト３５を接続する場合は、フィルタレール１１の底板１２及び垂直方向に設置されているダクト接続用フランジ１６（図１参照）を利用する。例えば、吸込み用ダクト３５の内面を、フィルタレール１１の底板１２の外面及びダクト接続用フランジ１６の外面に接触させ、吸込み用ダクト３５の外側からバンド又はタッピングねじを用いて、吸込み用ダクト３５とフィルタレール１１及びダクト接続用フランジ１６とを接続する。これにより、吸込み用ダクト３５が筐体２に対し固定される。
【００４３】
次に、図５を参照して、ダクト接続用フランジ４３が形成された従来の背面板４４に対し、フィルタレール１１を取り付ける場合について説明する。この場合、ダクト接続用フランジ４３に形成されたねじ穴４３ａと、フィルタレール１１の底板１２に形成されたねじ穴１２ａを一致させる。そして、両方のねじ穴４３ａ，１２ａに対し、ねじ５１を挿入して、ねじ５１を締める。これにより、ダクト接続用フランジ４３に対し、フィルタレール１１が取り付けられる。この作業を上側のフィルタレール１１と下側のフィルタレール１１の両方に行う。
【００４４】
その後、フィルタ４１を取り付ける場合は、上述した本実施形態に係る場合と同様に、両フィルタレール１１間にフィルタ４１を屈折させながら挿入して、フィルタ４１の上下端を溝部分に嵌める。一方、吸込み用ダクト３５を接続する場合は、図１１に示すように、本実施形態に係るフィルタレール１１をダクト接続用フランジ４３に取り付けない。この場合、水平方向に設置されているダクト接続用フランジ４３及び垂直方向に設置されているダクト接続用フランジ４６（図９参照）を利用する。例えば、吸込み用ダクト３５の内面を、ダクト接続用フランジ４３，４６の外面に接触させ、吸込み用ダクト３５の外側からバンド又はタッピングねじを用いて、吸込み用ダクト３５とダクト接続用フランジ４３，４６とを接続する。これにより、吸込み用ダクト３５が筐体３２に対し固定される。
【００４５】
以上、本実施形態によれば、図４に示すように、フィルタレール１１のねじ締め方向が、筐体２の内部に向くため、ねじ１４の先端が筐体２の外面側から突出しない。したがって、運搬時などに作業者がねじ１４によってけがをしないように別途措置を施す必要がなくなり、安全性確保のための手間を軽減させることができる。
【００４６】
また、本実施形態に係るフィルタレール１１の底板１２は、従来のダクト接続用フランジ４３と同様に、吸込み用ダクト３５の接続に用いることができる。よって、本実施形態に係るフィルタレール１１が取り付けられた室内機１は、筐体２に吸込み用ダクト３５が接続される場合と、吸込み用ダクト３５が接続されない場合の両方に対応できる。
【００４７】
さらに、本実施形態に係るフィルタレール１１の底板１２において、第１側板１３Ａのねじ穴１３ａとは別に、ねじ穴１２ａが形成される場合、ダクト接続用フランジ４３が筐体３２の背面板４４に取り付けられた従来の室内機３１にも本実施形態に係るフィルタレール１１を取り付けることができる。よって、部品の共有化を図ることができ、複数タイプの室内機（例えば上述の室内機１と室内機３１）に応じて複数タイプのフィルタレールを用意する必要がない。
【００４８】
またさらに、ダクト接続用フランジ４３が形成された従来の背面板４４と、ダクト接続用フランジが形成されない本実施形態に係る背面板３との違いは、ダクト接続用フランジのための折り曲げ部分があるか否かである。そのため、注文の増加又は減少等による室内機の製造台数の変更に柔軟に対処できる。
【符号の説明】
【００４９】
１，３１  室内機
２，３２  筐体
３  背面板（外板）
３ａ，４３ａ  ねじ穴
４  側面板
５  上面板
６  底面板
７  シロッコファン
８  ファンモータ
９  コントロールボックス
１０  開口（開口部）
１１  フィルタレール（室内機用フィルタ支持具）
１２  底板（第３板部）
１２ａ  ねじ穴（第２ねじ穴）
１３  側板
１３Ａ  第１側板（第１板部）
１３Ｂ  第２側板（第２板部）
１３ａ  ねじ穴（第１ねじ穴）
１３ｂ  切り欠き
１４  ねじ（第１ねじ）
１５，４５  緩衝材
１６，４６  ダクト接続用フランジ
３２ａ，３２ｂ  開口
３３  吹出し用ダクト
３４  吹出口
３５  吸込み用ダクト
３６  吸込口
３７  ガラリ
４１  フィルタ
４２  フィルタレール
４２ａ  底板
４３  ダクト接続用フランジ（フランジ部）
４４  背面板
５１  ねじ（第２ねじ）
【図１】
0006532696.tif 000002
【図２】
0006532696.tif 000003
【図３】
0006532696.tif 000004
【図４】
0006532696.tif 000005
【図５】
0006532696.tif 000006
【図６】
0006532696.tif 000007
【図７】
0006532696.tif 000008
【図８】
0006532696.tif 000009
【図９】
0006532696.tif 000010
【図１０】
0006532696.tif 000011
【図１１】
0006532696.tif 000012